(57)【要約】      （修正有）【課題】２回の受験に使える日めくりカレンダーを提供する。【解決手段】台座Ｍの表面に３６５枚以上の日めくり用枚葉紙束Ｐを取り付けた日めくりカレンダーであって、使用者が受験する第１、２目標試験名Ａ，Ｂの択一的な記入用空白欄を、上記台座Ｍの表面に設ける一方、実際の日付から第１目標試験名Ａの受験日までカウントダウンした残りの日数１４ａと、その第１目標試験名Ａの受験日からこれよりも後日となる第２目標試験名Ｂの受験日までカウントダウンした残りの追加日数１４ｂとを、上記枚葉紙束Ｐの１枚づつへ日めくり順序に応じて印刷する。【選択図】図４
0003145200.tif 000002
【実用新案登録請求の範囲】
【請求項１】
台座（Ｍ）の表面に３６５枚以上の日めくり用枚葉紙束（Ｐ）を取り付けた日めくりカレンダーであって、
使用者が受験する第１、２目標試験名（Ａ）（Ｂ）の択一的な記入用空白欄（１１）を、上記台座（Ｍ）の表面に設ける一方、
実際の日付から第１目標試験名（Ａ）の受験日までカウントダウンした残りの日数（１４ａ）と、その第１目標試験名（Ａ）の受験日からこれよりも後日となる第２目標試験名（Ｂ）の受験日までカウントダウンした残りの追加日数（１４ｂ）とを、上記枚葉紙束（Ｐ）の１枚づつへ日めくり順序に応じて印刷したことを特徴とする受験用日めくりカレンダー。
【請求項２】
実際の日付から第１目標試験名（Ａ）の受験日までカウントダウンした残りの日数（１４ａ）を印刷した枚葉紙束（Ｐ）と、第１目標試験名（Ａ）の受験日から第２目標試験名（Ｂ）の受験日までカウントダウンした残りの追加日数（１４ｂ）を印刷した枚葉紙束（Ｐ）との相互間において、異なる着色カラーを施したことを特徴とする請求項１記載の受験用日めくりカレンダー。
【請求項３】
第１目標試験名（Ａ）の受験日並びに第２目標試験名（Ｂ）の受験日から、一定の刻み日数づつ各々カウントダウンした実際の日付（２３）が別紙に印刷された日付早見一覧表（Ｔ）を、付録物として添付したことを特徴とする請求項１記載の受験用日めくりカレンダー。
【考案の詳細な説明】
【技術分野】
【０００１】
本考案は大学や高校、中学校などの受験用日めくりカレンダーに関する。
【背景技術】
【０００２】
目標の受験日を目指して、１枚づつ数字を減らすように剥ぎ取り使用する日めくりカレンダーが、実開昭５４−１３６０４７号公報や実開昭５５−１５６９７１号公報に記載されており、特に後者では受験用のみならず、仕事の完成やその他の目標にも広く使える利便性があると言える。
【特許文献１】実開昭５４−１３６０４７号公報
【特許文献２】実開昭５５−１５６９７１号公報
【考案の開示】
【考案が解決しようとする課題】
【０００３】
ところが、上記特許文献１、２に開示されている日めくりカレンダーでは、その目標の受験日が唯一として、残りの日数をカウントダウンするようになっているため、例えば１回の大学入試センター試験を目標とする場合であればともかく、その後の大学毎に行なわれる独自の入学試験も目標とする場合には、上記日めくりカレンダーを使用することができない。
【０００４】
そして、このような不便さは公立高校と私立高校との入学試験を２回受ける場合や、国家資格の第１、２次試験を受ける場合などについても、同様に言えることである。
【課題を解決するための手段】
【０００５】
本考案はこのような課題の改良を目的としており、その目的を達成するために、請求項１では台座の表面に３６５枚以上の日めくり用枚葉紙束を取り付けた日めくりカレンダーであって、
【０００６】
使用者が受験する第１、２目標試験名の択一的な記入用空白欄を、上記台座の表面に設ける一方、
【０００７】
実際の日付から第１目標試験名の受験日までカウントダウンした残りの日数と、その第１目標試験名の受験日からこれよりも後日となる第２目標試験名の受験日までカウントダウンした残りの追加日数とを、上記枚葉紙束の１枚づつへ日めくり順序に応じて印刷したことを特徴とする。
【０００８】
又、請求項２では実際の日付から第１目標試験名の受験日までカウントダウンした残りの日数を印刷した枚葉紙束と、第１目標試験名の受験日から第２目標試験名の受験日までカウントダウンした残りの追加日数を印刷した枚葉紙束との相互間において、異なる着色カラーを施したことを特徴とする。
【０００９】
更に、請求項３では第１目標試験名の受験日並びに第２目標試験名の受験日から、一定の刻み日数づつ各々カウントダウンした実際の日付が別紙に印刷された日付早見一覧表を、付録物として添付したことを特徴とする。
【考案の効果】
【００１０】
請求項１の上記構成によれば、台座の目標試験名記入用空白欄へ例えばセンター試験などの第１目標試験名を記入し、その第１目標試験名の受験日までカウントダウンした残りの日数を一目瞭然に知得することができ、その受験後に同じく上記空白欄へ、別な国立前期試験などの第２目標試験名を記入して、その第２目標試験名の受験日までカウントダウンした残りの日数もやはり明瞭に知得できるのであり、２回の受験に使える利便性がある。
【００１１】
又、請求項２の構成を採用するならば、第１目標試験名の受験用と第２目標試験名の受験用とを、その異なる着色カラーに基いて容易に識別使用できる効果がある。
【００１２】
更に、請求項３の構成を採用するならば、その実際の日付早見一覧表を付録物として併用することにより、第１、２目標試験名の受験日に対する日付合わせを容易に正しく行え、受験日が年毎や使用者毎に変っても、その日付早見一覧表の印刷だけで対処し得る効果もある。
【考案を実施するための最良の形態】
【００１３】
以下、図面に基いて本考案の具体的構成を詳述すると、図１〜６は大学受験用にふさわしい日めくりカレンダーを例示しており、（Ｍ）は厚紙や合成樹脂板、金属板などから成る台座であって、その表面のほぼ中央部には３６５枚よりも多い日めくり用枚葉紙束（Ｐ）が、その１枚づつ剥離できる連綴状態として取り付けられている。
【００１４】
又、（１１）はこのような枚葉紙束（Ｐ）よりも上段位置において、その台座（Ｍ）の表面に設けられた目標試験名記入用の空白欄であり、ここへ使用者が受験する予定の第１目標試験名（例えばセンター試験）（Ａ）と、その後の第２目標試験名（例えば国立前期試験）（Ｂ）とを択一的に記入する。
【００１５】
茲に、「択一的に記入」とは先ず第１目標試験名（Ａ）を記入し、これをその後消去するか、又はカバーシート（図示省略）の貼り付けにより隠蔽して、同じ位置へ再度別な第２目標試験名（Ｂ）を記入することである。その記入のための空白欄（１１）としても、図例のような囲い枠線（１２）を台座（Ｍ）の表面へ表示しておくことが好ましい。
【００１６】
そして、同じく台座（Ｍ）の表面における上記目標試験名記入用の空白欄（１１）と、上記枚葉紙束（Ｐ）との上下相互間には、実際の日付（暦）から目標試験名（Ａ）（Ｂ）の受験日までカウントダウンした残りの日数を示すために、「あと」という案内文字（１３）が印刷されている。その案内文字（１３）としては、図例のような平仮名に限らず、漢字や英単語でも良く、又「あと」の文字に代る「残り」という案内文字（１３）を採用してもさしつかえない。
【００１７】
しかも、その実際の日付（暦）から目標試験名（Ａ）（Ｂ）の受験日までカウントダウンした残りの日数（１４ａ）（１４ｂ）が、上記枚葉紙束（Ｐ）の１枚づつへ日めくり順序に応じて印刷されている。
【００１８】
その場合、３６５枚よりも多い日めくり用枚葉紙束（Ｐ）を、上記台座（Ｍ）に取り付けた理由は、本考案の日めくりカレンダーを第１目標試験名（Ａ）の受験用のみならず、その後日になる別な第２目標試験名（Ｂ）の受験用としても、便利良く使えるようにするためである。
【００１９】
そのための構成として、本考案の日めくりカレンダーでは図１〜６から明白なように、「３６５日」から「１日」までの残り日数（１４ａ）に加えて、引き続き日めくりされる「５０日」から「１日」までの残り日数（１４ｂ）も、その枚葉紙束（Ｐ）に印刷されているのであり、上記目標試験名記入用の空白欄（１１）へ第１目標試験名（Ａ）を記入した使用時には、その受験日が「３６５日」から「１日」までの残り日数（１４ａ）として、近づいてくることを表示する一方、その第１目標試験名（Ａ）の受験後に、上記空白欄（１１）へ別な第２目標試験名（Ｂ）を記入した使用時には、その受験日が引き続き「５０日」から「１日」までの残り日数（１４ｂ）として、やはり近づいてくることを表示するようになっている。
【００２０】
その残り日数（１４ａ）（１４ｂ）が減少し、受験日が近づいてくることを強調するため、その受験日の一定日数前（例えば１０日前）から受験日まで近づくに連れて変化する着色カラーを、上記枚葉紙束（Ｐ）の１枚づつに施したり、同じく近づくに連れて徐々に拡大する数字を、その枚葉紙束（Ｐ）の１枚づつに印刷したりすることも可能である。
【００２１】
又、第１目標試験名（Ａ）の受験日までカウントダウンした残りの日数（１４ａ）が印刷された３６５枚の枚葉紙束（Ｐ）と、引き続き第２目標試験名（Ｂ）の受験日までカウントダウンした残りの追加日数（１４ｂ）が印刷された５０枚の枚葉紙束（Ｐ）との相互間において、異なる着色カラーを与えることにより、識別できるように定めても良い。
【００２２】
上記枚葉紙束（Ｐ）の１枚づつには受験日までの残り日数（１４ａ）（１４ｂ）を印刷するほか、その周辺部に使用者の予定事項記入用空白欄（１５）も設けて、ここへ残り日数（１４ａ）（１４ｂ）に応じた目標や計画、模擬試験の日付などを記入できるように定めることが望ましい。（１６）はその空白欄（１５）を仕切る罫線である。
【００２３】
（１７）は上記台座（Ｍ）の目標試験名記入用空白欄（１１）よりも上段位置の余白へ表示された「必勝  合格」などの祈願（期待）文字であるが、これに代る護符としての役目を日めくりカレンダーに与えても良い。
【００２４】
更に、（１８）は同じく台座（Ｍ）における表面の下段位置へ表示された使用者（受験者）の激励標語であり、図例の場合「今日を制する者が結果を成する」という文字から成るが、これに代る適当な標語を採択することができる。
【００２５】
尚、図示の実施形態では上記台座（Ｍ）に吊り掛け穴（Ｈ）を設け、これにより日めくりカレンダーを壁面へ吊り掛け使用するようになっているが、これに代る卓上式の日めくりカレンダーとして使用することもあり得る。
【００２６】
次に、図７は上記受験用日めくりカレンダーの付録物として、そのカレンダーに添付する実際の日付早見一覧表（Ｔ）を示しており、その縦横の罫線（１９）（２０）により仕切られた縦軸には、上記カウントダウンの刻み日数を例えば５０日づつの表示（２１）として印刷する一方、同じく横軸には第１目標試験名（Ａ）の受験日（１月１７日）から、第２目標試験名（Ｂ）の受験日（２月２５日）に至る実際の日付を例えば１週間づつの表示（２２）として印刷すると共に、その縦横交叉した区画枠内には対応合致する実際の日付（２３）を印刷したものである。
【００２７】
本考案の受験用日めくりカレンダーはこのような日付早見一覧表（Ｔ）との併用により、その第１、２目標試験名（Ａ）（Ｂ）の受験日を暦における実際の日付と正しく合わせて知得することができる。その受験日が日めくりカレンダーの使用者毎や、年毎に変るとしても、上記実際の日付早見一覧表（Ｔ）を作成し、これを受験用日めくりカレンダーの付属物として、一緒にセット販売することにより、使用者の便宜に供し得るわけである。
【００２８】
つまり、図１は本考案に係る日めくりカレンダーの言わば新品な状態を示しており、予じめ４１５枚だけ連綴された枚葉紙束（Ｐ）を備えているが、その使用に当っては先ず図２、３のように、台座（Ｍ）の目標試験名記入用空白欄（１１）へ第１目標試験名（例えばセンター試験）（Ａ）を記入する。
【００２９】
その第１目標試験名（Ａ）の受験日が２００９年１月１７日（土）に決まっていると仮定した場合、これから３６５日前に相当する実際の日付を、その日付早見一覧表（Ｔ）の参照などにより、２００８年１月１８日（金）に合わせた上、使用開始するのである。
【００３０】
茲に、日めくりカレンダーの使用開始日が例えば上記受験日の２００日前であるならば、その実際の日付を２００８年７月１日（火）に合わせれば良く、何日からでも支障なく使い始めることができる。
【００３１】
そして、その使用開始日から台座（Ｍ）の枚葉紙束（Ｐ）を毎日１枚づつ剥離（日めくり）すれば、その第１目標試験名（Ａ）の受験日までカウントダウンした残りの日数（１４ａ）を、明瞭に看取することができ、やがて図４のように受験日まで「あと」１日（前日）の状態となる。
【００３２】
そこで、第１目標試験名（Ａ）の当日（２００９年１月１７日）に受験した後、例えば図４のような第２目標試験名（Ｂ）の「国立前期試験」が記入されたカバーシートを、上記「センター試験」の隠蔽状態として、やはり台座（Ｍ）の目標試験名記入用空白欄（１１）へ貼り付け、上記日めくりカレンダーの再使用を開始するのである。
【００３３】
その第２目標試験名（Ｂ）の受験日が２００９年２月２５日（水）に決まっていると仮定した場合、上記第１目標試験名（Ａ）の受験日から自づと連続して、第２目標試験名（Ｂ）の受験日までカウントダウンした残りの日数（１４ｂ）が図５、６のように表示されることとなり、そのため使用者は第２目標試験名（Ｂ）における受験日の前日（あと１日）まで、残り日数（１４ｂ）を一目瞭然に知得できるのである。
【００３４】
その場合、暦における実際の日付（２３）を図７のように、第１目標試験名（Ａ）の受験日から第２目標試験名（Ｂ）の受験日まで、１週間づつのそれや、好ましくは１日づつのそれとして印刷するならば、その前後相互間に集中して行なわれる私立大学の受験用としても、便利良く通覧使用できることになる。
【００３５】
上記日付早見一覧表（Ｔ）に印刷する刻み日数の表示（２１）としても、図例のような５０日づつに限らず、これより細かい刻み日数として表示することができる。尚、図示の実施形態は大学受験用の日めくりカレンダーに係るが、２回の受験に使用できるならば、公立高校や公立中学校と、私立高校や私立中学校との受験用、国家資格の第１、２次受験用などとして適用実施されることもある。
【図面の簡単な説明】
【００３６】
【図１】本考案に係る受験用日めくりカレンダーの斜面図である。
【図２】第１目標試験名を記入した使用状態の斜面図である。
【図３】図２から表側の枚葉紙束を剥離する状態の斜面図である。
【図４】第１目標試験名の受験日があと１日に近づいた状態を示す斜面図である。
【図５】図４に後続する枚葉紙束の剥離状態を示す斜面図である。
【図６】第２目標試験名の受験日があと１日に近づいた状態を示す斜面図である。
【図７】実際の日付早見一覧表を示す正面図である。
【符号の説明】
【００３７】
（１１）・空白欄
（２１）・囲い枠線
（１３）・案内文字
（１４ａ）・第１目標試験名の受験日までカウントダウンした残り日数
（１４ｂ）・第２目標試験名の受験日までカウントダウンした残り日数
（１５）・空白欄
（１６）・罫線
（１７）・祈願文字
（１８）・激励標語
（１９）・縦−罫線
（２０）・横−罫線
（２１）・刻み日数表示
（２２）・１週間づつの表示
（２３）・実際の日付
（Ａ）・第１目標試験名
（Ｂ）・第２目標試験名
（Ｈ）・吊り掛け穴
（Ｍ）・台座
（Ｐ）・枚葉紙束
（Ｔ）・実際の日付早見一覧表
【図１】
0003145200.tif 000003
【図２】
0003145200.tif 000004
【図３】
0003145200.tif 000005
【図４】
0003145200.tif 000006
【図５】
0003145200.tif 000007
【図６】
0003145200.tif 000008
【図７】
0003145200.tif 000009